(57)【要約】【課題】容易に携帯することができる缶ホルダを提供する。【解決手段】缶に取り付けられる缶ホルダ１は棒部材１００、ハンドル部２００、缶の底部を収容するトレイ部３００、棒部材１００の上端部付近から突出して設けられ、缶の上縁部と係合可能な溝で当該上縁部を係止することで当該缶の棒部材１００の長手方向及び径方向への動きを規制する係止部１３０を具備する。ハンドル部２００は、Ｚ軸方向を軸とした第１のヒンジ部１４０の回動により、Ｘ軸正方向に突出する使用状態から、Ｙ軸正方向に突出する非使用状態へと折り畳み可能である。トレイ部３００は、Ｙ軸を軸とした第２のヒンジ部１６０の回動により、その底面３１０がＺ軸方向に垂直な使用状態から、底面３１０がＺ軸方向及びＹ軸方向と平行な非使用状態へと折り畳み可能である。【選択図】図１
0003231271.tif 000002
【実用新案登録請求の範囲】
【請求項１】
缶に取り付けられる缶ホルダであって、
棒部材と、
前記棒部材から前記棒部材の長手方向に直交する第１の方向に向かって設けられる第１のヒンジ部と、
前記第１のヒンジ部を介して前記棒部材に連結されるハンドル部と、
前記棒部材の下端部付近から前記第１の方向に対向する第２の方向に突出して設けられる第２のヒンジ部と、
前記第２のヒンジ部を介して前記棒部材に連結され、前記缶の底部を収容するトレイと、
前記棒部材の上端部付近から前記第２の方向に突出して設けられ、前記缶の上縁部と係合可能な溝で当該上縁部を係止することで当該缶の前記長手方向及び径方向への動きを規制する係止部と、
を具備し、
前記ハンドル部は、前記長手方向を軸とした前記第１のヒンジ部の回動により、前記第１の方向に突出する使用状態から、前記第１の方向に直交し、かつ、前記長手方向に直交する第３の方向に突出する非使用状態へと折り畳み可能であり、
前記トレイは、前記第３の方向を軸とした前記第２のヒンジ部の回動により、その底面が前記長手方向に垂直な使用状態から、前記底面が前記長手方向及び前記第３の方向と平行な非使用状態へと折り畳み可能である
缶ホルダ。
【請求項２】
請求項１に記載の缶ホルダであって、
前記棒部材は、本体と、当該本体に対してスライドすることで伸縮自在な伸縮部材と、当該伸縮部材を前記本体に対して第１の容量の缶に対応する第１の位置と第２の容量の缶に対応する第２の位置とでロック可能な第１のロック機構を有する
缶ホルダ。
【請求項３】
請求項１又は２に記載の缶ホルダであって、
前記ハンドル部は、当該ハンドル部の前記使用状態と前記非使用状態の各位置で当該ハンドル部をロック可能な第２のロック機構を有する
缶ホルダ。
【考案の詳細な説明】
【技術分野】
【０００１】
本考案は、缶に取り付けられる缶ホルダに関するものである。
【背景技術】
【０００２】
従来、様々な飲料缶が普及しており、飲料缶を手に持って飲料を飲んだり、容器に飲料を注いだりする機会が多くある。しかし、缶の中の飲料が加熱あるいは冷却されている場合、缶を手で直接持つと、持ちにくかったり、不快感を感じたりすることがある。そのため、（１）縦長の取手の上下端に凹部を形成し、凹部で缶の上部と下部とを固定して用いる簡易取手が提案されてきた（例えば、特許文献１参照。）
【０００３】
また、（２）持ち手の上端に形成された凹部で缶の上部を固定し、持ち手の支柱の下端に設けた受け皿の皿状の部分内に缶の底部を乗せるもの（特許文献２参照）や、（３）取手の支柱の下端に着脱される筒状の受け皿に缶の底部を入れ、支柱に設けられたゴムバンドで缶を固定するもの（特許文献３参照）等がある。
【先行技術文献】
【特許文献】
【０００４】
【特許文献１】特開平９−２１６６３４号公報
【特許文献２】特開２００３−７２７６７号公報
【特許文献３】特開２００７−３１４２４１号公報
【考案の開示】
【考案が解決しようとする課題】
【０００５】
しかしながら、（１）の取手では、冷たい飲料缶を置いた場合に結露でテーブル等の表面が汚れたり、内容量が減った時に缶が不安定になったりするという問題があった。（２）、（３）は、これらを改善するためのものであるが、いずれも受け皿の内部に缶の底部を嵌め込んで缶を支持するため、缶の底部より大きな径の受け皿が必要であった。さらに、携帯しやすい缶ホルダが求められていた。
【０００６】
本考案は、このような問題に鑑みてなされたもので、容易に携帯することができる缶ホルダを提供することを目的とする。
【課題を解決するための手段】
【０００７】
前述した目的を達成するため、本考案は、缶に取り付けられる缶ホルダであって、棒部材と、前記棒部材から前記棒部材の長手方向に直交する第１の方向に向かって設けられる第１のヒンジ部と、前記第１のヒンジ部を介して前記棒部材に連結されるハンドル部と、前記棒部材の下端部付近から前記第１の方向に対向する第２の方向に突出して設けられる第２のヒンジ部と、前記第２のヒンジ部を介して前記棒部材に連結され、前記缶の底部を収容するトレイと、前記棒部材の上端部付近から前記第２の方向に突出して設けられ、前記缶の上縁部と係合可能な溝で当該上縁部を係止することで当該缶の前記長手方向及び径方向への動きを規制する係止部と、を具備し、前記ハンドル部は、前記長手方向を軸とした前記第１のヒンジ部の回動により、前記第１の方向に突出する使用状態から、前記第１の方向に直交し、かつ、前記長手方向に直交する第３の方向に突出する非使用状態へと折り畳み可能であり、前記トレイは、前記第３の方向を軸とした前記第２のヒンジ部の回動により、その底面が前記長手方向に垂直な使用状態から、前記底面が前記長手方向及び前記第３の方向と平行な非使用状態へと折り畳み可能である缶ホルダである。
【０００８】
本考案によれば、棒部材の上端部付近に設けられた係止部で缶の上縁部を保持し、棒部材の下端部付近に設けられたトレイ部で缶の下縁部を保持するため、持ち手単独で缶を支持することができ、さらに、ハンドル部とトレイ部がそれぞれ非使用状態へと折り畳み可能に構成されているため、収納や持ち運びの際にハンドル部２００とトレイ部３００を折り畳むことができ、嵩張らず、容易に携帯することができる。
【０００９】
前記棒部材は、本体と、当該本体に対してスライドすることで伸縮自在な伸縮部材と、当該伸縮部材を前記本体に対して第１の容量の缶に対応する第１の位置と第２の容量の缶に対応する第２の位置とでロック可能な第１のロック機構を有してもよい。
【００１０】
この場合、棒部材を伸縮可能であり、２つの異なる長さにロック可能であるため、それぞれの長さの缶に対応できる。また、棒部材を縮小した場合は、容易に携帯することができる。
【００１１】
前記ハンドル部は、当該ハンドル部の前記使用状態と前記非使用状態の各位置で当該ハンドル部をロック可能な第２のロック機構を有してもよい。
【００１２】
この場合、ハンドル部を使用状態と非使用状態の各位置でロック可能であるため、使用中にハンドル部が使用者の意に反して折り畳まれることがないため、缶ホルダを安定的に使用することができる。
【考案の効果】
【００１３】
本考案によれば、容易に携帯することができる缶ホルダを提供することができる。
【図面の簡単な説明】
【００１４】
【図１】本発明の実施形態に係る缶ホルダの斜視図である。
【図２】缶ホルダの正面図である。
【図３】缶ホルダの背面図である。
【図４】缶ホルダの左側面図である。
【図５】缶ホルダの右側面図である。
【図６】缶ホルダの上面図である。
【図７】缶ホルダの底面図である。
【図８】缶ホルダの使用時の一形態を示す左側面図である。
【図９】缶ホルダの使用状態の一例を示す左側面図である。
【図１０】缶ホルダの使用状態の一例を示す左側面図である。
【図１１】缶ホルダの非使用時の一形態を示す左側面図である。
【図１２】缶ホルダの非使用時の一形態を示す背面図である。
【図１３】ハンドル部のロック機構（第２のロック機構）を説明するための透視図である。
【図１４】ハンドル部のロック機構（第２のロック機構）を説明するための透視図である。
【考案を実施するための形態】
【００１５】
以下、本考案の実施の形態を詳細に説明する。図１は、本実施形態に係る缶ホルダ１の斜視図である。図２は、缶ホルダ１の正面図である。図３は、缶ホルダ１の背面図である。図４は、缶ホルダ１の左側面図である。図５は、缶ホルダ１の右側面図である。図６は、缶ホルダ１の上面図である。図７は、缶ホルダ１の底面図である。図１から図７の図中には、互いに直交する３軸（Ｘ軸，Ｙ軸，Ｚ軸）が示されている。
【００１６】
図１から図７は、缶ホルダ１の棒部材１００が伸張していない状態を示すが、図８は、当該棒部材１００が伸張した状態を示す缶ホルダ１の左側面図である。図１から図８には、缶ホルダ１が缶５１０（５２０）に取り付けられていないが、缶ホルダ１が缶５１０（５２０）に取り付けられた使用状態を図９、図１０に示す。図９は、缶ホルダ１の使用状態の一例を示す左側面図である。図１０は、缶ホルダ１の使用状態の一例を示す左側面図である。
【００１７】
缶ホルダ１は、図９と図１０に示すように、缶５１０（５２０）に取り付けられる物品である。缶ホルダ１は、図１から図７に示すように、棒部材１００、ハンドル部２００、トレイ部３００を有する。棒部材１００、ハンドル部２００、トレイ部３００は、合成樹脂で構成されているが、一部または全体を金属で構成してもよい。
【００１８】
棒部材１００は、図９と図１０に示すように、缶ホルダ１００に缶５１０（５２０）を設置した際に、缶５１０（５２０）の側面に沿って配置される部材である。棒部材１００は、図１から図７に示すように、本体１１０と、伸縮部材１２０と、係止部１３０と、第１のヒンジ部１４０と、第２のヒンジ部１６０と、第３のヒンジ部１５０と、伸縮ボタン１１５を有する。棒部材１００は、これらに加えて、内部に、第１のロック機構（不図示）を有する。伸縮ボタン１１５は、第１のロック機構を作動させるための機構である。伸縮部材１２０は、本体１１０に対してスライドすることで伸縮自在に構成されている。
【００１９】
図４と図８に示すように、棒部材１００の伸縮部材１２０は、鞘状の本体１１０の内部に収容された状態と、本体１１０から引き出された状態とが可変である。これにより、棒部材１００全体の長手方向の長さを変化させることができる。
【００２０】
また、第１のロック機構（不図示）によれば、伸縮部材１２０を本体１１０に対して第１の容量の缶に対応する第１の位置と第２の容量の缶に対応する第２の位置とでロックすることができる。伸縮ボタン１１５を使用者が押下することにより、当該ロックが解除される。
【００２１】
第１のロック機構は具体的には、つるまきバネとその伸縮を規制可能な規制部材とを含んで構成してもよい。この場合、規制部材は伸縮ボタン１１５によりつるまきバネに押し込まれ、つるまきバネの伸縮を規制することによって、伸縮部材１２０の本体１１０に対する位置をロックすることができる。そのほかに、第１のロック機構は、スライドレールと引き出しとラッチを含んで構成してもよい。この場合、ラッチは伸縮ボタン１１５によりスライドレールに押し込まれ、引き出しの動きを規制することによって、伸縮部材１２０の本体１１０に対する位置をロックすることができる。
【００２２】
上記第１の容量の缶としては、ビール等のアルコール飲料用途で一般的な、３５０ｍｌの容量を持つ飲料缶が一例として挙げられる。上記第２の容量の缶としては、同じく５００ｍｌの容量を持つ飲料缶が一例として挙げられる。缶ホルダ１は、本体１１０と、これに対してスライドすることで伸縮自在な伸縮部材１２０を有する棒部材１００の構成であるため、図９に示すように、トレイ部３００と係止部１３０により３５０ｍｌ缶４１０を安定的に保持できるとともに、図１０に示すように、５００ｍｌ缶４２０も安定的に保持できる。さらに缶ホルダ１は、上述の第１のロック機構を備えるため、棒部材１００の長手方向の長さを固定化することができるため、それぞれの長さの缶をより安定的に保持できる。
【００２３】
図９には、一例として、３５０ｍｌ缶５１０（缶サイズは２１１径（６６ｍｍ））に缶ホルダ１が取り付けられている状態が示されている。図１０には、一例として、５００ｍｌ缶５２０（缶サイズは２１１径（６６ｍｍ））に缶ホルダ１が取り付けられている状態が示されている。
【００２４】
第１のヒンジ部１４０は、棒部材１００の上端部付近から棒部材１００の長手方向（Ｚ軸方向）に直交する第１の方向（Ｘ軸の正方向）に向かって設けられる。第３のヒンジ部１５０は、棒部材１００の下端部付近から第１のヒンジ部１４０と同方向に向かって設けられる。ハンドル部２００は、第１のヒンジ部１４０を介して棒部材１００に連結される。
【００２５】
第２のヒンジ部１６０は、棒部材１００の下端部付近から上記第１の方向に対向する第２の方向（Ｘ軸の負方向）に突出して設けられる。トレイ部３００は、第２のヒンジ部１６０を介して棒部材１００に連結される。
【００２６】
トレイ部３００は、図１から図７に示すように、平板状の円形部材であり、缶５１０（５２０）の底部を収容する。トレイ部３００は、平板状の底面３１０と、底面３１０の縁から立ち上がる側面３２０を有する。底面３１０の上に飲料缶が載置され、側面３２０により底面３１０と平行な方向への飲料缶の動きが規制される。これにより、飲料缶の底部をトレイ部３００に収容することができる。底面３１０の大きさは、限定するものではないが、直径６６ｍｍとしてもよい。この場合、ビール等のアルコール飲料用途で一般的な大きさの飲料缶の缶体の直径と同等程度になり、側面３２０により飲料缶を適切に保持することができる。
【００２７】
係止部１３０は、図１から図７に示すように、本体１１０の上端部近傍から、第２の方向（Ｘ軸の負方向）に向かって突出するように構成された部位である。本実施形態では、係止部１３０と本体１１０が一体的に構成されており、ヒンジのような可動部はない。係止部１３０の先端部（Ｘ軸の負方向に向かった先の端部）は、本体１１０から先端に向かって、厚肉部１３２と薄肉部１３３と縁部１３１がこの順で並んで配置され、これにより、係止部１３０には溝部１３５が形成されている。
【００２８】
溝部１３５は、Ｙ軸方向に略平行に形成されており、ここに缶５１０（５２０）の上縁部が係合可能である。本実施形態における「缶の上縁部」とは、ビールや発泡酒が封入されるスチール缶やアルミ缶など、一般的な飲料缶の缶胴と上蓋が接合される際に上蓋の円周部に形成される縁のことである。溝部１３５が缶５１０（５２０）の上縁部を係止することで、係止部１３０は、缶５１０（５２０）の上記長手方向（Ｚ軸方向）及び径方向（Ｚ軸方向と直交する方向）への動きを規制する。
【００２９】
ハンドル部２００は、湾曲した部材であり、一端が棒部材１００の本体１１０の上端部付近に、他端が棒部材１００の本体１１０の下端部付近に取り付けられる。ハンドル部２００は、図１に示す形状に限らず、持ちやすい形状であればよい。ハンドル部２００は、使用者が片手で握るのに好適な大きさ・構造をしており、例えば、Ｚ軸方向の長さが１２〜１３ｃｍ、握りの部分は１ｃｍ角程度の大きさである。
【００３０】
ハンドル部２００は、棒部材１００との接続部分にあたる第１のヒンジ部１４０の近傍にロック用スライダ２３０を有する。また、内部に、第２のロック機構（図１３と図１４を参照して後述）を有する。ロック用スライダ２３０は、第２のロック機構を作動させるための機構である。
【００３１】
図１から図１０に示された缶ホルダ１は、いずれも缶ホルダ１が使用状態のときの形態が示されている。以下に、缶ホルダ１が非使用状態のときの缶ホルダ１の形態について図１１、図１２を参照しながら説明する。
【００３２】
ハンドル部２００は、棒部材１００の上記長手方向（Ｚ軸方向）を軸とした第１のヒンジ部１４０と第３のヒンジ部１５０の回動により、上記第１の方向（Ｘ軸の正方向）に突出する使用状態から、上記第１の方向に直交し、かつ、上記長手方向に直交する第３の方向（Ｙ軸の正方向）に突出する非使用状態へと折り畳み可能である。
【００３３】
図１１、図１２には、折り畳まれたハンドル部２００が示されている。図１から図１０に示されたハンドル部２００の状態を使用状態とし、図１１、図１２に示されたハンドル部２００の状態を非使用状態とする。なお、ハンドル部２００の折り畳みの方向は、Ｙ軸の正方向に限定されず、Ｙ軸の負方向でもよい。
【００３４】
トレイ部３００は、上記第３の方向（Ｙ軸方向）を軸とした上記第２のヒンジ部１６０の回動により、その底面３１０が上記長手方向（Ｚ軸方向）に垂直な使用状態から、上記底面３１０が上記長手方向（Ｚ軸方向）及び上記第３の方向（Ｙ軸方向）と平行な非使用状態へと折り畳み可能である。
【００３５】
このように缶ホルダ１は、第１のヒンジ部１４０の回動によりハンドル部２００が折り畳まれ、第２のヒンジ部１６０の回動によりトレイ部３００が折り畳まれる。このように、本実施形態によれば、収納や持ち運びの際にハンドル部２００とトレイ部３００を折り畳むことができ、嵩張らず、容易に携帯することができる。
【００３６】
次に、ハンドル部２００のロック機構（第２のロック機構）について説明する。図１３、図１４は、ハンドル部２００のロック機構（第２のロック機構）を説明するための透視図である。
【００３７】
ハンドル部２００は、図１３、図１４に示すように、内部に、ロック用スライダ２３０から第２の方向（Ｘ軸の負方向）に突出した突出部２３２とスプリング２３４を有する。また、第１のヒンジ部１４０は、第１のヒンジ部１４０から第１の方向（Ｘ軸正方向）に突出した突出部１４２を有する。突出部２３２はロック用スライダ２３０の一部である。突出部１４２は、第１のヒンジ部１４０の一部である。上記第２のロック機構は、ロック用スライダ２３０、突出部２３２、スプリング２３４、突出部１４２を含んだ機構である。
【００３８】
ロック時には、図１３に示すように、ハンドル部２００側の突出部２３２がスプリング２３４の付勢力により第２の方向に付勢され、第１のヒンジ部１４０側の突出部１４２と係合する。これにより、第１のヒンジ部１４０側の突出部１４２がＹ軸正方向に倒れることが規制される。
【００３９】
他方で、ロックの解除時には、図１４に示すように、使用者の指を使ったスライドによりロック用スライダ２３０が第２の方向（Ｘ軸の負方向）に移動し、これに伴い、スプリング２３４が同方向に縮む。同様に、ハンドル部２００側の突出部２３２は、第２の方向に移動し、第１のヒンジ部１４０側の突出部１４２との係合が外れる。これにより、第１のヒンジ部１４０側の突出部１４２がＹ軸正方向に倒れることが規制されなくなるので、ハンドル部２００は第１のヒンジ部１４０を軸とした回動が自在になる。
【００４０】
このように、ハンドル部２００を使用状態と非使用状態の各位置でロック可能であるため、使用中にハンドル部２００が使用者の意に反して折り畳まれることがない。したがって本実施形態によれば、缶ホルダ１を安定的に使用することができる。
【００４１】
ハンドル部２００とトレイ部３００が折り畳まれた非使用状態から、使用者が缶ホルダ１の使用を開始する場合、以下のような手順で缶ホルダ１に缶５１０（５２０）をセットする。
１）ハンドル部２００のロックを解除して第１のヒンジ部１４０と第３のヒンジ部１５０の回動により、上記第１の方向（Ｘ軸の正方向）に展開させる（これにより第２のロック機構が作動してハンドル部２００がロックされる）。
２）トレイ部３００を第２のヒンジ部１６０の回動により、その底面３１０が上記長手方向（Ｚ軸方向）に垂直となるように展開させる。
３）棒部材１００の伸縮部材１２０の第１のロック機構によるロックを解除して、伸縮部材１２０を缶５１０（５２０）の高さ以上に伸長させ、缶５１０（５２０）をトレイ部３００にセットする。
４）伸縮部材１２０を缶５１０（５２０）収縮させ、係止部１３０の溝部１３５に缶５１０（５２０）の上縁部を係合させる（これにより第１のロック機構が作動して係止部１３０がロックされる）。
５）以上により缶５１０（５２０）が缶ホルダ１にセットされ、使用者はハンドル部２００を把持して飲料を飲むことが可能となる。なお上記１）と２）の手順は逆でもよい。
【００４２】
なお、本実施の形態では、棒部材１００を伸縮可能としたが、伸縮は２段階でなくてもよく、伸縮機構は前述したものに限らない。また、第１のヒンジ部１４０とハンドル部２００の回動の方向は、Ｙ軸正方向でなく、Ｙ軸負方向でもよい。
【００４３】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００４４】
１………缶ホルダ
１００………棒部材
１１０………本体
１１５………伸縮ボタン
１２０………伸縮部材
１３０………係止部
１３１………縁部
１３２………厚肉部
１３３………薄肉部
１３５………溝部
１４０………第１のヒンジ部
１６０………第２のヒンジ部
１５０………第３のヒンジ部
２００………ハンドル部
２３０………ロック用スライダ
３００………トレイ部
３１０………底面
３２０………側面
５１０………缶（３５０ｍｌ缶）
５２０………缶（５００ｍｌ缶）
【図１】
0003231271.tif 000003
【図２】
0003231271.tif 000004
【図３】
0003231271.tif 000005
【図４】
0003231271.tif 000006
【図５】
0003231271.tif 000007
【図６】
0003231271.tif 000008
【図７】
0003231271.tif 000009
【図８】
0003231271.tif 000010
【図９】
0003231271.tif 000011
【図１０】
0003231271.tif 000012
【図１１】
0003231271.tif 000013
【図１２】
0003231271.tif 000014
【図１３】
0003231271.tif 000015
【図１４】
0003231271.tif 000016